(57)【要約】  １対の正面ケーブル接続場所３０を有するハウジング１１６の内部に取り付けられた１対の同軸アセンブリ１５２を備えた同軸切換ジャック２８を開示する。同軸アセンブリは各々、中心導体１５４と外殻導体１５６を有している。中心導体は第１のばね１４８により互いに接続され、外殻導体は第２のばね１５０により互いに接続される。同軸ケーブルコネクタを正面ケーブル接続場所の１つに挿入すると、ばねは対応する同軸アセンブリからそらされ、２つの同軸アセンブリの中心導体と外殻導体の接続は断たれる。ジャックはまた、同軸ケーブルコネクタを第１の同軸アセンブリの内部に挿入した時、第２の同軸アセンブリの中心導体と外殻導体の間に電気接続をもたらすように構成してもよい。第２の同軸アセンブリの中心導体と外殻導体の間の電気接続は、所望の電気インピーダンスの選択を可能にする抵抗体アセンブリ１４０を経由してよい。
2009534795.tif 000002
【特許請求の範囲】
【請求項１】
同軸切換ジャックにおいて、
１対の背面ケーブル接続場所と１対の正面ケーブル接続場所を有し、各正面ケーブル接続場所が嵌合相手の同軸ケーブルコネクタを受け止めるべく構成されているハウジングと、
前記ハウジング内部に取り付けられた１対の同軸アセンブリであって、各々が前記正面ケーブル接続場所の１つに隣接する第１の端と、前記背面ケーブル接続場所の１つに隣接する第２の端を有し、各々が中心導体と外殻導体を有し、前記同軸アセンブリの中心導体が互いに電気接続され、前記同軸アセンブリの外殻導体が互いに電気接続されている１対の同軸アセンブリと、
前記ハウジングの内部に移動自在に取り付けられていて、前記ハウジングから取り出されることなくオン位置とオフ位置の間を移動できる抵抗体と、
前記中心導体と外殻導体の間の接続を選択的に断つスイッチであって、嵌合相手の同軸ケーブルコネクタを前記正面ケーブル接続場所の１つに挿入すると、対応する同軸アセンブリの中心導体が他方の同軸アセンブリの中心導体との電気接触から外され、対応する同軸アセンブリの外殻導体が他方の同軸アセンブリの外殻導体との電気接触から外され、前記嵌合相手の同軸ケーブルコネクタの中心導体が前記対応する同軸アセンブリの中心導体と電気接続され、前記嵌合相手の同軸ケーブルコネクタの外殻導体が前記対応する同軸アセンブリの外殻導体と電気絶縁される構造のスイッチと備え、
前記嵌合相手の同軸ケーブルコネクタを前記対応する同軸アセンブリと係合させるべく前記正面ケーブル接続場所の１つに一度挿入すると、前記抵抗体がオン位置にある時、前記他方の同軸アセンブリの外殻導体と中心導体が前記抵抗体を通して電気接続され、前記抵抗体がオフ位置にある時、前記他方の同軸アセンブリの外殻導体と中心導体が互いに電気絶縁される、同軸切換ジャック。
【請求項２】
前記抵抗体がオン位置において約７５オーム抵抗を提供する、請求項１に記載の同軸切換ジャック。
【請求項３】
前記ハウジングが、開放側とこの開放側の内部に位置決めされたカバーを有し、前記カバーとハウジングが内部を画定すべく協働し、前記抵抗体が前記ハウジング内部に位置決めされていて、前記抵抗体がオン位置とオフ位置の間でハウジング内部の外側から移動できる、請求項１に記載の同軸切換ジャック。
【請求項４】
前記抵抗体がカバーを通して移動できる、請求項３に記載の同軸切換ジャック。
【請求項５】
前記ハウジングが、前記同軸アセンブリの外殻導体を電気絶縁するために非導電体を有している、請求項１に記載の同軸切換ジャック。
【請求項６】
同軸切換ジャックにおいて、
内部と外部を画定し、嵌合相手の同軸ケーブルコネクタを受け止めるべく構成された１対の背面ケーブル接続場所を有しているハウジングと、
前記ハウジング内部に取り付けられた、各々が中心導体と外殻導体を有している１対の同軸アセンブリと、
前記同軸アセンブリの間のジャックばねアセンブリで、嵌合相手の同軸ケーブルコネクタが前記ケーブル接続場所の１つに挿入されていない時、前記同軸アセンブリの中心導体が互いに電気接続され、前記同軸アセンブリの外殻導体が互いに電気接続されるように経由するジャックばねアセンブリと、
前記ハウジングの内部に取り付けられていて、前記ハウジングの外部から変更できる抵抗レベルを有する抵抗体アセンブリとを備え、
前記嵌合相手の同軸ケーブルコネクタを前記ケーブル接続場所の１つに挿入すると、前記ジャックばねアセンブリが移動させられ、２つの同軸アセンブリが互いに電気絶縁され、
前記嵌合相手の同軸ケーブルコネクタを前記ケーブル接続場所の１つに挿入すると、嵌合しなかった同軸アセンブリの中心導体が前記抵抗体アセンブリを通して前記嵌合しなかった同軸アセンブリの外殻導体に物理的に接続され、前記嵌合しなかった同軸アセンブリの前記中心導体と外殻導体の間のインピーダンスレベルが前記抵抗体アセンブリを通して変更できる、同軸切換ジャック。
【請求項７】
前記中心導体と外殻導体の間のインピーダンスレベルが０オームから正の値に変更できる、請求項６に記載の同軸切換ジャック。
【請求項８】
前記中心導体と外殻導体の間のインピーダンスレベルが０オームから約７５オームに変更できる、請求項７に記載の同軸切換ジャック。
【請求項９】
前記ハウジングが前記同軸アセンブリの外殻導体を電気絶縁するために非導電性材料を有している、請求項６に記載の同軸切換ジャック。
【請求項１０】
同軸切換ジャックにおいて、
１対の背面ケーブル接続場所と１対の正面ケーブル接続場所を有し、各正面ケーブル接続場所が嵌合相手の同軸ケーブルコネクタを受け止めるべく構成されているハウジングと、
前記ハウジング内部に取り付けられた１対の同軸アセンブリで、各々が前記正面ケーブル接続場所の１つに隣接する第１の端と、前記背面ケーブル接続場所の１つに隣接する第２の端を有し、各々が中心導体と外殻導体を有している１対の同軸アセンブリと、
前記ハウジング内部に取り付けられた第１の導電性ばねであって、第１のアームと第２のアームを有し、各アームが前記同軸アセンブリの各々の中心導体と接触する第１の導電性ばねと、
前記ハウジング内部に取り付けられた１対の第２の導電性ばねであって、各々、前記同軸アセンブリの外殻導体と接触する第１の端と、前記同軸アセンブリの外殻導体を互いに電気接続すべく他方の第２の導電性ばねの第２の端と接触する第２の端を有している１対の第２の導電性ばねとを備え、
嵌合相手の同軸ケーブルコネクタを前記正面ケーブル接続場所の１つに一度挿入すると、前記嵌合相手の同軸ケーブルコネクタの中心導体が前記対応する同軸アセンブリの中心導体と電気接続され、前記嵌合相手の同軸ケーブルコネクタの外殻導体が前記対応する同軸アセンブリの外殻導体と電気絶縁され、
前記嵌合相手の同軸ケーブルコネクタを挿入すると、前記第１のばねの第１のアームが前記第２のばねの一方の第１の端と接触するように前記対応する同軸アセンブリの中心導体との電気接触から遠ざかる方向にそらされ、前記対応する第２のばねの第１の端が前記対応する同軸アセンブリの外殻導体との電気絶縁から離れる方向にさらされ、前記対応する第２のばねの第２の端が他方の第２のばねの第２の端との接触から遠ざかる方向にさらされ、前記他方の第２のばねの第１の端が前記嵌合しなかった同軸アセンブリの外殻導体と接触した状態に留まる、同軸切換ジャック。
【請求項１１】
前記第２の導電性ばねが、前記ハウジング内部に取り付けられた抵抗体を通して互いに電気接続され、前記嵌合相手の同軸ケーブルコネクタを挿入すると、前記第２のばねの対が前記抵抗体を通して互いに電気接続された状態に留まり、嵌合しなかった同軸アセンブリの中心導体が前記抵抗体を通して前記嵌合しなかった同軸アセンブリの外殻導体に電気的に終端接続される、請求項１０に記載の同軸切換ジャック。
【請求項１２】
前記抵抗体が７５オーム抵抗体である、請求項１１に記載の同軸切換ジャック。
【請求項１３】
前記ハウジングの内部に移動自在に取り付けられていて、前記ハウジングから取り出されることなく、前記第２のばねの対を電気接続するオン位置と前記第２のばねの対を電気絶縁するオフ位置の間を移動できる抵抗体をさらに備えている、請求項１０に記載の同軸切換ジャック。
【請求項１４】
前記ハウジングが前記同軸アセンブリの外殻導体を電気絶縁するために非導電体を有している、請求項１０に記載の同軸切換ジャック。
【請求項１５】
同軸切換ジャックにおいて、
１対の正面ケーブル接続場所と１対の背面ケーブル接続場所を有し、各正面ケーブル接続場所が嵌合相手の同軸ケーブルコネクタを受け止めるべく構成されているハウジングと、
前記ハウジング内部に取り付けられた１対の同軸アセンブリであって、各々が前記正面ケーブル接続場所の１つに隣接する第１の端と、前記背面ケーブル接続場所の１つに隣接する第２の端を有し、各々が中心導体と外殻導体を有し、前記外殻導体がほぼ円筒形の壁とこの円筒形の壁に形成された開口部を有している１対の同軸アセンブリと、
前記同軸アセンブリの中心導体と接触する導電性ばねであって、前記中心導体と接触すべく一部分が各外殻導体の円筒形の壁にある開口部を通して受け止められ、前記同軸アセンブリの外殻導体も電気接続されるように構成された、導電性ばねとを備え、
前記ハウジングが、前記１対の同軸アセンブリの外殻導体を電気絶縁するために非導電性部分を有し、
嵌合相手の同軸ケーブルコネクタを前記正面ケーブル接続場所の１つに挿入すると、前記導電性ばねが前記対応する同軸アセンブリの中心導体との電気接触から遠ざかる方向にそらされ、前記同軸アセンブリの外殻導体が電気絶縁され、
嵌合相手の同軸ケーブルコネクタを前記正面ケーブル接続場所の１つに一度挿入すると、前記嵌合相手の同軸ケーブルコネクタの中心導体が前記対応する同軸アセンブリの中心導体と電気接続され、前記嵌合相手の同軸ケーブルコネクタの外殻導体が前記対応する同軸アセンブリの外殻導体と電気絶縁され、
嵌合相手の同軸ケーブルコネクタを前記正面ケーブル接続場所の１つに一度挿入すると、嵌合相手の同軸ケーブルコネクタの外殻導体が前記対応する同軸アセンブリの外殻導体の円筒形の壁にある開口部を閉じ、前記嵌合相手の同軸ケーブルコネクタの中心導体と前記対応する同軸アセンブリの中心導体を中心としてほぼ円筒形の導電性通路を形成し、この円筒形通路が前記対応する正面ケーブル接続場所から前記背面ケーブル接続場所まで延びている、同軸切換ジャック。
【発明の詳細な説明】
【技術分野】
【０００１】
本出願は、２００７年４月１９日に米国企業ADC Telecommunications, Inc.の名義で国際特許出願として提出されており（同社が米国を除くすべての国々を指定国とする出願人、チュニジア国民M'hamed Anis Khemakhem及び米国民Cyle D. Petersenが米国を指定国とする出願人である）、２００６年４月２１日提出の米国特許出願第１１／４０８６１３号に対する優先権を主張する。
【０００２】
本発明は、一般に、電気通信機器間の接続を作る装置に関する。より詳細には、本発明は、同軸ケーブル接続用の同軸切換ジャックアセンブリに関する。
【背景技術】
【０００３】
代表的な同軸切換装置では、多数の信号発生デバイスと多数の信号処理デバイスを備えたスタジオの中に接続パネルが取り付けられることはあり得る。信号を信号発生デバイスから信号処理デバイスに、又は、相異なる信号処理デバイスの間で伝送するのに同軸ケーブルを使用することはあり得る。この機器間の接続の構成には、多様な信号発生又は信号処理のニーズに応えられるような融通性のあることが望ましい。デバイスの多くは、パス内の信号とパス外の信号を持ち得るので、そのような各々のデバイスがそこから接続パネルへと延びている１対の同軸ケーブルを持つことになる。これらのケーブル対を切換ジャックの１対の開口部に接続する。多重のデバイスを切換ジャックの背面に接続してよい。パネルに接続された機器の相異なるピースの間の接続を望む場合は、切換ジャックの正面に挿入された同軸パッチケーブルを使用する。機器変更の構成として、機器間の接続は、機器とパネルの間の接続を妨げることなくパッチケーブルを配置し直すことによって使用してよい。
【発明の開示】
【発明が解決しようとする課題】
【０００４】
同軸切換ジャックをもってすれば、必要とされた通りに構成し、方向づけすべき放送機器と通信機器の相異なるピースの間で信号を同軸ケーブルにより運ぶことが可能となる。ディジタル可聴周波信号とアナログ可聴周波信号に、また、映像信号に同様の切換ジャックを使用してよい。これらの信号のいずれかに使用してよい切換ジャックと、信号対を選択的にループし、対をなす信号の一方に第三ケーブルを接続する反面、他方の信号を終わらせ、当該の対の両方の信号を他のケーブルに接続することのできる切換ジャックを持つことが望ましい。
【課題を解決するための手段】
【０００５】
本発明の一態様によれば、本開示は、ジャックハウジング内部に取り付けられた１対の同軸アセンブリを有している同軸切換ジャックに関する。ハウジング内部に移動自在に取り付けられた抵抗体が、ハウジングから取り出されることなく「オン」位置と「オフ」位置の間を移動できる。スイッチが、同軸アセンブリの中心導体と外殻導体の間の接続を選択的に断ち、嵌合相手の同軸ケーブルコネクタをジャックの正面ケーブル接続場所の１つに挿入すると、対応する同軸アセンブリの中心導体は他方の同軸アセンブリの中心導体との電気接触から外され、対応する同軸アセンブリの外殻導体は他方の同軸アセンブリの外殻導体との電気接触から外される。同軸ケーブルコネクタが一度挿入されると、他方の同軸アセンブリの外殻導体と中心導体は、抵抗体が「オン」位置にある時に該抵抗体を通して電気接続され、該他方の同軸アセンブリの外殻導体と中心導体は、抵抗体が「オフ」位置にある時に互いに電気絶縁される。
【０００６】
本発明の別の態様によれば、本開示は、ジャックハウジング内部に取り付けられた１対の同軸アセンブリを有している同軸切換ジャックに関する。１つの第１の導電性ばねが同軸アセンブリの各々の中心導体と接触し、１対の第２の導電性ばねが同軸アセンブリの外殻導体を電気接続する。嵌合相手の同軸ケーブルコネクタをケーブル接続場所の１つに挿入すると、第１のばねの第１のアームが対応する同軸アセンブリの中心導体との電気接触から遠ざけられ、それも、第１のアームが第２のばねの一方の第１の端と接触するように遠ざけられ、また、対応する第２のばねの第１の端が対応する同軸アセンブリの外殻導体との電気接触から遠ざけられ、対応する第２のばねの第２の端は他方の第２のばねの第２の端との接触から遠ざかり、他方の第２のばねの第１の端は相手でない同軸アセンブリの外殻導体と接触したままである。
【０００７】
本発明の更に別の態様によれば、本開示は、ジャックハウジング内部に取り付けられた１対の同軸アセンブリを有しているハウジングを有する同軸切換ジャックに関する。各同軸アセンブリが中心導体と外殻導体を有している。外殻導体は、ほぼ円筒形の壁とこの円筒形の壁に形成された開口部を有している。同軸アセンブリの中心導体と接触する導電性ばねが、該中心導体と接触すべく開口部を通して受け止められ、外殻導体も電気接続される。同軸ケーブルコネクタをケーブル接続場所の１つに挿入すると、導電性ばねは、対応する同軸アセンブリの中心導体との電気接触から遠ざけられ、また、同軸アセンブリの外殻導体は電気絶縁され、該同軸アセンブリの外殻導体の円筒形の壁にある開口部は閉じられ、中心導体を中心としてほぼ円筒形の導電性通路が形成されることになる。
【０００８】
明細書の一部に組み入れられ、これを構成する添付図面は、本発明の幾つかの態様を描いたもので、説明文と共に本発明の原理を解説するのに役立つ。
【発明を実施するための最良の形態】
【０００９】
以下、本発明の例示的態様を添付図面に則して詳細に説明する。可能な限り、図面全体を通して同一又は同様の部品に同じ参照符号を使用する。
【００１０】
図１は、１対の取付板１２と、この取付板１２を取り付けたフレーム１４を備えた電気通信パネル１０の部分斜視図を示す。フレーム１４は、前壁１６と、この前壁１６から後方へ延びている天壁１８及び底壁２０を有している。フレーム１４は、各端に取り付け用フランジ２２を有し、パネル１０を機器ラックのような別の構造に取り付けるために前壁１６の側面にファスナ開口部２４を設けている。フレーム１４の前壁１６は、図７及び８に示した通り、取付板１２に取り付けられた同軸切換ジャック２８への接近を許容する複数の開口部２６を画定している。各開口部２６が、同軸切換ジャック２８の正面ケーブル接続場所３０の１つへの接近を許容する。正面ケーブル接続場所３０は、図９〜１９に描かれた実施例において正面開口部３２として構成されている。各切換ジャック２８の背壁３４に、同軸ケーブルコネクタ３８を受け止めるべく構成された１対の背面ケーブル接続場所３６が設けられている。背面ケーブル接続場所３６も、描かれた実施例において開口部４０として構成されている。
【００１１】
フレーム１４の天壁１８と底壁２０は、下で更に詳述する通り、取付板１２をフレーム１４にインタロックするための開口部４２を有している。天壁１８と底壁２０はまた、向き合った側で取付板１２をフレーム１４に関して案内し、支持するためのフランジ部分４４も有している。
【００１２】
図１が、２列の取付板１２を収納するフレームを付けたパネルを示すのに対し、図５は、単一の列の取付板１２を収納するフレーム１１４を付けた代替のパネル１１０を示す。パネル１１０は、構造及び機能においてパネル１０と同様である。
【００１３】
図３及び４に示した通り、取付板１２は垂直配置で組み立てることができる。図６に示した通り、取付板１２は水平配置で組み立てることができる。取付板１２は、天壁４６、底壁４８、第１の側壁５０、第２の側壁５２、開放前端５４、及び、開放後端５５を有している。取付板１２は、天壁４６の外側表面５８の上で画定された細長いフランジ５６を有している。各取付板１２はまた、底壁４８の外側表面６２に画定された細長いグルーブ６０も有し、これが取付板１２の頂部フランジ５６と摺動自在に嵌合するように構成されている。各取付板１２はまた、第１の側壁５０の外側表面６６にある細長いフランジ６４と、第２の側壁５２の外側表面７０にある細長いグルーブ６８を有している。側フランジ６４とグルーブ６８は、摺動自在に嵌合するように構成されている。こうして、２つの取付板１２が、図１〜４に示した通りの垂直配置で、また、図５及び６に示した通りの水平配置で摺動自在に共に結合できる。細長いフランジ５６、６４及びグルーブ６０、６８は、２つの取付板１２が摺動自在に共に結合した時にその摺動方向に垂直な方向に引き離しできなくなるようなダボテール形の輪郭を有する。
【００１４】
各取付板１２はまた、先に述べた通り、取付板１２をフレーム１４にインタロックするための構造を有している。図１〜８に示した通り、各取付板１２の天壁４６にある２つの最外のフランジ５６は、フランジ５６の背側７２に隣接するランプ付きタブ７０を有している。また、図８に示した通り、各取付板１２の底壁４８が、中央グルーブ６０の側部にある１対のランプ付きタブ７４を画定している。頂部ランプ付きタブ７０と底部ランプ付きタブ７４は、フレーム１４の天壁１８と底壁２０にある開口部４２の内部でのスナップ装着によって取付板１２をフレーム１４に結合させるように構成されている。フレーム１４にあるランプ付きタブ７０の１つと開口部４２の１つが、図２に拡大した形で描かれている。取付板１２の頂部ランプ付きタブ７０と底部ランプ付きタブ７４、及び、フレーム１４の頂面開口部と底面開口部４２が、フレーム１４の正面開口部２６を、取付板１２に取り付けられた切換ジャック２８のケーブル接続場所３０と整合させている。
【００１５】
図８に示した通り、取付板１２の底壁４８に画定された２つの最外の細長いグルーブ６０は、２つの取付板１２が垂直方向で結合した時に別の取付板１２の頂部ランプ付きタブ７０を収納するためのより深い細長いスロット７６をグルーブ６０内部に有している。各取付板１２はまた、図１〜７に示した通り、取付板１２の底壁４８に画定されたランプ付きタブ７４を収納するために中央頂部フランジ５６の各側に設けられたより短いスロット７８を有している。取付板１２の側壁５０、５２は、フレーム１４とのインタロックを作るためのスナップ装着式構造を含まないので、この取付板１２の側壁５０、５２はランプ付きタブを収納するための構造を含まない。
【００１６】
図示した実施例では、底壁４８にあるより深い細長いスロット７６と天壁４６にあるより短いスロット７８により、取付板１２は、上側取付板１２の後端５５から下側取付板１２の前端５４に向かう方向で別の取付板１２の上側に摺動自在に結合でき、反対の方向で取り外しできるだけである。また、図示した実施例では、下側の取付板１２は、上側取付板１２の後端５５から下側取付板１２の前端５４に向かう方向で取り外しでき、反対の方向で結合できるだけである。より深い細長いスロット７６の後端８０は、２つの取付板１２が垂直方向で共に結合した時に頂部ランプ付きタブ７０の垂直面８２に突き当たることにより、下側取付板１２のためのストッパとして働く。３つ以上の取付板１２を垂直方向で結合させる時、同じ方向づけに従う。
【００１７】
図７及び８に示した通り、取付板１２は、同軸切換ジャック２８をフレーム１４に取り付けるのに使用される。取付板１２と同軸切換ジャック２８は、同軸切換ジャック２８を取付板１２に取り付けるための嵌合構造とインタロック構造を有している。図７〜１０に示した通り、同軸切換ジャック２８は各々、ジャック２８の前壁８６からジャック２８の背壁３４に向かって延びている１対の縦方向ガイド８４を有し、一方のガイド８４がジャック２８の天壁８８に位置し、他方のガイドがジャック２８の底壁９０に位置する。ジャック２８の頂部ガイド８４がほぼ矩形の輪郭を持つのに対し、底壁９０にあるガイド８４の方はダボテール形の輪郭を持つ。ジャック２８の頂部ガイド８４は、取付板１２の天壁４６の内側表面９４にあるスロット９２の中を摺動する。ジャック２８の底部ガイド８４は、取付板１２の底壁４８の内側表面９８にあるダボテール形のスロット９６の中を摺動する。
【００１８】
各ジャック２８はまた、ジャック２８を取付板１２にスナップ装着するためのランプ付きタブ１０２を付けた可撓性カンチレバーアーム１００を有している。カンチレバーアーム１００は、ジャック２８の天壁８８にある矩形ガイド８４からジャック２８の背壁３４に向かって延びている。可撓性カンチレバーアーム１００のランプ付きタブ１０２が、取付板１２の天壁４６に画定された開口部１０４にスナップ式に嵌まり込む。
【００１９】
ジャック２８の背壁３４は、下向きに延びているフランジ１０６を画定している。底壁９０にあるダボテールガイド８４は、ジャック２８の前壁８６から下向きに延びているフランジ１０６まで延びている。ジャック２８を摺動自在に取付板１２の内部に挿入すると、フランジ１０６は取付板１２の底壁４８に突き当たる。フランジ１０６から更に下へ延びているのが、グリップタブ１０８である。グリップタブ１０８は、ジャック２８の背壁３４の一部として形成される。グリップタブ１０８は、好ましくは、ユーザがジャック２８を確実に把持し、これを取付板１２に相対して摺動自在に移動させるためにカンチレバーアーム１００とグリップタブ１０８に相反する力を加え得るように、ジャック２８の上でカンチレバーアーム１００と向き合う位置にある。
【００２０】
ジャック２８を取付板１２の中に取り付ける時、ジャック２８は、ガイド８４をスロット９２、９６に嵌め込んだ状態で前方へ摺動させることができる。ジャック２８は、カンチレバーアーム１００が下へ撓み、ランプ付きタブ１０２を取付板１２の天壁４６の下に通し、開口部１０４の中に入れるまで、前方へ摺動できる。ジャック２８を取付板１２から取り出したい時は、カンチレバーアーム１００とグリップタブ１０８に相反する力を加え、カンチレバーアーム１００を押し下げることができる。カンチレバーアーム１００が下へ撓むにつれて、ランプ付きタブ１０２は取付板１２の開口部１０４から離れ、ジャック２８は後方へ摺動する。
【００２１】
図示したジャック２８と取付板１２の間、２つの取付板１２の間、及び、取付板１２とフレーム１４の間の整合構造とインタロック構造は非制限的な例であり、他の構成も可能であることに注目されたい。例えば、別の実施例では、取付板１２の天壁４６及び底壁４８の内側表面９４、９８にあるスロット９２、９６とジャック２８の縦方向ガイド８４を入れ替えてよい。
【００２２】
図９〜１９について説明すると、同軸切換ジャック２８は、カバー１１８を付けたハウジング１１６を有している。幾つかの実施例では、ハウジング１１６が非導電体１２０を画定している。ハウジング１１６は、前壁８６、背壁３４、天壁８８、底壁９０、及び、カバー１１８の反対側の位置の側壁１２２を画定している。
【００２３】
ジャック２８は、１対の背面ケーブル接続場所３６と１対の正面ケーブル接続場所３０を画定している。背面ケーブル接続場所３６は、ハウジング１１６の背壁３４に画定された１対の背面開口部４０として構成されている。正面ケーブル接続場所３０は、ハウジング１１６の前壁８６に１対の正面開口部３２として構成されている。上で述べた通り、縦方向ガイド８４はハウジング１１６の天壁８８と底壁９０に位置し、その天壁８８に可撓性カンチレバーアーム１００が位置する。
【００２４】
ハウジング１１６とカバー１１８は、内部１２４を画定すべく協働する。ハウジング１１６の内部１２４は、ジャック２８の様々なコンポーネントを受容する形に作られている。内部１２４へは、背面開口部４０又は正面開口部３２を通して接近できる。内部１２４の中に取り付けられるコンポーネントは、ハウジング１１６により閉め切られる側面開口部１２６を通してハウジング１１６に挿入できる。カバー１１８は、カバー１１８をハウジング１１６にファスナ１３０で締着するためのファスナ穴１２８を有している。カバー１１８はまた、更に下で述べる通り、抵抗体アセンブリ１３４を収納するための開口部１３２を有している。カバー１１８は、ハウジング１１６内部の抵抗体１４０の位置を指示するマーク印１３６を有している。
【００２５】
ハウジング１１６の背壁３４に含まれているのは、示名ラベルパネル１４４を受け止めるためのスロット１４２である。示名ラベルパネル１４４は、スロット１４２の中に摺動自在に挿入され、そこで摩擦ばめにより保持される。スロット１４２は、示名ラベルパネル１４４をハウジング１１６の背壁３４から外すのを容易にする上ノッチ１４６を有している。
【００２６】
図１５、１６及び１９について説明すると、内部１２４の中に取り付けられているのは、１つの中心導体接触ばね１４８と１対の同形の外殻導体接触ばね１５０である。また、内部１２４の中に抵抗体アセンブリ１３４も取り付けられており、これが１対の同軸アセンブリ１５２の間に位置する。各同軸アセンブリ１５２が中心導体１５４と外殻導体１５６を有している。中心導体接触ばね１４８は、中心導体接触ばね１４８のアーム１５８が通常、同軸アセンブリ１５２の中心導体１５４と接触した状態にあるように取り付けられている。外殻導体接触ばね１５０は、これが通常、互いに電気接触した状態、かつ、同軸アセンブリ１５２の外殻導体１５６と電気接触した状態にあるように取り付けられている。ばね１４８、１５０は、好ましくは、弾力のある導電性材料で作られている。ハウジング本体１２０の非導電性材料は、同軸アセンブリ１５２の外殻導体１５６を電気絶縁する。
【００２７】
図１６及び１９に示した通り、中心導体接触ばね１４８は、ハウジング１１６内部で隔壁１６０と前壁８６の間に位置する。ばね１４８のアーム１５８は、同軸アセンブリ１５２の中心導体１５４と電気接触した状態にあるように外向きに延びている。各アーム１５８の外側端１６２に隣接して取り付けられているのは、絶縁体接触パッド１６４である。コネクタ３８が正面開口部３２を通して挿入されていない状態では、ばね１４８は通常、中心導体１５４を電気接続する。通常の位置、すなわち、切換えられていない位置にある時、コネクタ３８が正面開口部３２を通して挿入されていない状態では、パッド１６４が、図１９に示した通り同軸アセンブリ１５２と物理的に接触しない。ところが、ケーブルコネクタ３８が正面開口部３２を通して挿入されると、接触パッド１６４は、下で更に詳述する通り、ケーブルコネクタ３８と初めて接触し、同軸アセンブリ１５２をジャック２８内部の回路の残りから電気絶縁する。
【００２８】
図１６及び１９についてなお説明すると、抵抗体アセンブリ１３４は２つの外殻導体接触ばね１５０の間に位置する。更に詳述する通り、抵抗体アセンブリ１３４は、「オン」位置又は「成端」位置１６６と「オフ」位置又は「非成端」位置１６８の間で切換えることができる。抵抗体アセンブリ１３４を「オン」位置１６６に回すと、抵抗体１４０は、同軸アセンブリ１５２の一方を成端させるべく外殻導体接触ばね１５０相互間に電気接続をもたらす。抵抗体アセンブリ１３４を「オフ」位置１６８に回せば、２つの外殻導体接触ばね１５０を互いに電気絶縁することができる。
【００２９】
図２１及び２２は、ジャック２８の同軸アセンブリ１５２を示す。各同軸アセンブリ１５２は、絶縁性スペーサ１７０により外殻導体１５６から電気絶縁された中心導体１５４を有している。スペーサ１７０は、中心導体１５４を外殻導体１５６の中で同軸に位置決めし、中心導体１５４を外殻導体１５６から絶縁する。外殻導体１５６は、前端１７２、後端１７４、及び、前端１７２と後端１７４の間を延びている３つの異なる部分を画定している。第１の部分１７６は後端１７４に隣接し、平坦部分１７８を有している。外殻導体１５６は、第１の部分１７６より小さい直径を持つ中間の第２の部分１８０を画定している。第１の部分１７６と第２の部分１８０は、相互の間にほぼ円形のフランジ１８２を形成する。外殻導体１５６は、前端１７２に隣接した第３の部分１８４を画定している。第３の部分１８４は、ケーブルコネクタを受け止める部分で、相互の間に画定されたスロット１８８を設けた縦方向に延びている脚１８６を有し、この脚１８６がケーブルコネクタ３８を受容すべく半径方向に撓むように構成されている。第３の部分１８４は、中間部分１８０より小さい直径を持ち、中間部分１８０との間にほぼ円形のフランジ１９０を形成する。外殻導体１５６の第３の部分１８４は、その周囲１９４に開口部１９２を画定している。開口部１９２は、同軸アセンブリ１５２をハウジング１１６の中に着座させた時、ハウジング１１６の内部１２４の中心に対して内向きにほぼ向き合う位置にくる。この開口部１９２を通して、図１９に示した通り、中心導体接触ばね１４８のアーム１５８は同軸アセンブリ１５２の中まで延び、それで中心導体１５４と電気接続することができる。
【００３０】
図１５に示した通り、カバー１１８の内側表面１９６は、外殻導体１５６の形状に対して相補的な形状を持つ。同様に、ハウジング１１６の内部１２４は、外殻導体１５６の形状に対して相補的な形状を持つ。ハウジング１１６とカバー１１８は、外殻導体１５６の第１の部分１７６に画定された平坦部分１７８に対して相補的な平坦部分１９８を有している。ハウジング１１６とカバー１１８の平坦部分１９８及び外殻導体１５６の平坦部分１７８は、ハウジング１１６の中に一度着座した外殻導体１５６が半径方向に転回するのを防ぐ働きをする。これにより、開口部１９２が中心導体接触ばね１４８のアーム１５８に相対して適切に整合させられる。ハウジング１１６とカバー１１８はまた、それぞれフランジ１８２、１９０に突き当たって同軸アセンブリ１５２がハウジング１１６内部を縦方向に移動するのを防ぐ働きをするショルダ２００、２０２を有している。図示した同軸アセンブリの実施例は１つの非制限的な例であること、また、同軸アセンブリ及びハウジング１１６の内部形状及びカバー１１８が本発明の主旨の枠内で他の様々な形態を取り得ることを理解されたい。
【００３１】
図２２及び２３は、本発明の抵抗体アセンブリ１３４を示す。抵抗体アセンブリ１３４は、絶縁性抵抗体ハウジング２０４内部に収納された抵抗体１４０を有している。抵抗体ハウジング２０４は、自らの間で抵抗体１４０を受け止め、保持する１対の可撓脚２０８を付けた底部２０６を有している。抵抗体ハウジング２０４は、自らの間にスロット２１４を画定している２つのフランジ２１２を付けた頂部２１０を有している。一度ジャックハウジング１１６内部に挿入されると、抵抗体ハウジング２０４は自らの縦軸Ａを中心として転回できる。抵抗体ハウジング２０４の頂部２１０においてフランジ２１２の間に画定されたスロット２１４は、抵抗体ハウジング２０４を回転させるのに使用できる。図示した実施例では、抵抗体ハウジング２０４は、外殻導体接触ばね１５０相互間に７５オーム抵抗を提供するか、外殻導体接触ばね１５０を互いに電気絶縁するかどちらかのために回転できる。他の実施例では、他の抵抗値を有する抵抗体が使用できる。抵抗体１４０は、抵抗体ハウジング２０４から取り出すことができ、必要に応じて別の抵抗体と取り替えることができる。抵抗体１４０は、ジャック２８から取り出し、先ず抵抗体ハウジング２０４を外すことによって取り替えることができる。
【００３２】
抵抗体ハウジング２０４の底部２０６は、第１の１組の凹部２１６と第２の１組の凹部２１５を有している。凹部２１５、２１６は、抵抗体ハウジング２０４の底部２０６の周囲の周りにほぼ９０度の間隔で位置する。凹部２１６は、可撓脚２０８の一部として画定される。凹部２１５は、両方とも可撓脚２０８の一部である部分と、可撓脚２０８相互間に画定された部分とを有している。凹部２１５と凹部２１６は、抵抗体ハウジング２０４を「オン」位置１６６又は「オフ」位置１６８に回した時、外殻導体接触ばね１５０の湾曲部を収納するように構成されている（図１９を参照）。外殻導体接触ばね１５０は、凹部２１５及び２１６のエッジ２１７及び２１９にそれぞればね張力を加え、凹部２１５及び２１６のエッジ２１７及び２１９はそれぞれ、外殻導体接触ばね１５０に突き当たり、その結果、抵抗体１４０を「オン」位置１６６又は「オフ」位置１６８に回した時、抵抗体１４０は該位置に保持されることになる。
【００３３】
図２４及び２５は、ケーブルコネクタ３８を正面開口部３２の１つに挿入した状態のジャック２８を示す。この配置では、ケーブルコネクタ３８の外導体２１８が外殻導体１５６に電気接続され、ケーブルコネクタ３８の中心導体２２０が同軸アセンブリ１５２の中心導体１５４に電気接続される。コネクタ３８を開口部３２の中に挿入すると、コネクタ３８の前端２２２が先ず、中心導体接触ばねアーム１５８の絶縁性パッド１６４と接触する。ばね１４８と接触しない時、前端２２２はアーム１５８を中心導体１５４との接触から遠ざかる方向にそらす。これで、同軸アセンブリ１５２の中心導体１５４相互間の電気結合は破られる。パッド１６４は、ケーブルコネクタ３８の外導体２１８をばね１４８との電気接触から絶縁する。
【００３４】
図２５に示した通り、アーム１５８が中心導体１５４との接触から遠ざかる方向に移動した後、アーム１５８は、外殻導体接触ばね１５０の第１の端２２４を押し、反対側の第２の端２２６を他方の外殻導体接触ばね１５０から遠ざかる方向にそらせ、２つの外殻導体接触ばね１５０の間の直接的な電気接触が破られることになる。こうして、ケーブルコネクタ３８が結合した嵌合相手の同軸アセンブリ１５２は、ジャック２８内部の他方の同軸アセンブリ１５２から完全に電気絶縁されるようになる。ばね１４８、１５０の移動と共に、同軸アセンブリ１５２の中心導体１５４は、抵抗体１４０を通して他方の同軸アセンブリ１５２の外殻導体１５６に電気接続されるようになる。
【００３５】
ケーブルコネクタ３８を正面開口部３２の中に挿入すると、コネクタ３８の外導体２１８が、同軸アセンブリ１５２の外殻導体１５６の周囲１９４にある開口部１９２を閉じる。こうして、コネクタ３８の外殻導体２１８と対応する同軸アセンブリ１５２の外殻導体１５６は協働し、コネクタ３８の中心導体２２０と対応する同軸アセンブリ１５２の中心導体１５４を中心としてほぼ円筒形の導電性通路２２８を形成する。この円筒形の通路２２８は、正面開口部３２から背面開口部４０まで延びている。
【００３６】
これで、図２４及び２５に示した通り、１つのコネクタ３８を開口部３２の中に通して一方の同軸アセンブリ１５２内部に挿入すると、他方の同軸アセンブリ１５２は、ばね１４８及び１５０と電気接触した状態に留まる。抵抗体１４０を通して、ばね１４８及び１５０は今や他方の同軸アセンブリ１５２の中心導体１５４と外殻導体１５６を電気接続する。場合によっては、中心導体１５４と外殻導体１５６の間にある程度のレベル、例えば７５オーム程度のインピーダンスを持つことが望ましい。こうした場合、抵抗体１４０は、図２７に示した通り「オン」位置又は「成端」位置１６６に見込んであってよい。他のレベルのインピーダンスも、抵抗体１４０を抵抗体ハウジング２０４内部で他の抵抗体と取り替えることによって見込んでよい。
【００３７】
他に、未接続の同軸アセンブリ１５２の中心導体１５４を外殻導体１５６から電気絶縁することが望ましい場合があり得る。こうした場合、抵抗体アセンブリ１３４は、図２８に示した通り「オフ」位置又は「非成端」位置１６８に転回又は回転させることができる。この位置にある時、抵抗体ハウジング２０４の頂部２１０に位置する絶縁性フランジ２１２は、２つの外殻導体接触ばね１５０を互いに電気絶縁する。
【００３８】
図２６に示した通り、第２のケーブルコネクタ３８を他方の正面開口部３２の中に挿入すると、この第２のコネクタ３８の前端２２２がアーム１５８を中心導体１５４から離れる方向にそらす。アーム１５８は外殻導体接触ばね１５０の第１の端２２４を押し、第２の端２２６を他方の外殻導体接触ばね１５０との直接的な電気接触から遠ざかる方向にたわませる。こうして、２つのケーブルコネクタ３８を同軸切換ジャック２８の正面開口部３２の中に挿入すると、中心導体接触ばね１４８と外殻導体接触ばね１５０は、２つの同軸アセンブリ１５２が互いに電気絶縁されるような方向に向かわされる。
【００３９】
図２９〜３２は、本発明に係る同軸ジャック３００の代替実施例を示す。ジャック３００は、図９〜１９のジャック２８に構造が類似している。しかしながら、ジャック３００は、直通型の非切換ジャックとして構成されている。従って、この実施例では、ジャックハウジング３０２が上述のばね１４８及び１５０を含まない。切換ジャック２８の実施例における通り、コネクタ３８を正面開口部３０４の中に挿入すると、コネクタ３８の外殻導体２１８と対応する同軸アセンブリ３０８の外殻導体３０６は協働し、コネクタ３８の中心導体２２０と対応する同軸アセンブリ３０８の中心導体３１２を中心としてほぼ円筒形の導電性通路３１０を形成する。
【００４０】
図２９〜３２の同軸ジャック３００は、抵抗体アセンブリ１３４を含まない。図２９では、ジャックハウジング３０２が上にカバー３１４を取り付けた形で描かれている。描かれた通り、カバー３１４は、同軸ジャック２８の第１の実施例における通り、回転可能な抵抗体アセンブリ１３４を収納するいかなる構造も含まない。
【００４１】
先に、切換型の同軸ジャック２８のハウジング１１６は非導電体１２０を有しているものと説明したが、ハウジング１１６の特定の部分が導電性材料を含みうることに注目されたい。例えば、特定の実施例では、ハウジング１１６の部分々々が調和目的のために導電性材料を含んでよい。特定量の導電性材料をハウジング１１６の内部１２４又はハウジング１１６の外周部に設けることにより、中心導体１５４と外殻導体１５６の間のインピーダンスレベルを調整し、所望の値に調和させることができる。
【００４２】
他の実施例では、ジャックが切換型のジャック２８であるか直通型のジャック３００であるかに関係なく、ハウジングの特定の部分が、隣接し合うジャックの間の漏話を防止する遮蔽目的のために導電性材料を含んでもよい。例えば、特定の実施例では、導電性遮蔽部分をカバーの表面及び／又は反対側のジャック側壁の表面に設けることができる。他の実施例では、遮蔽部分を他のハウジング部分の表面に設けることができる。
【００４３】
上の明細書、例及びデータは、本発明の製造法及び使用法を完璧に説明するものである。本発明の主旨及び範囲から逸脱することなく本発明の多くの実施例を作ることができるので、本発明は、後に付記する請求項の中に存する。
【図面の簡単な説明】
【００４４】
【図１】本発明に係るフレームに１対のジャック取付板を取り付けたフレームを有している電気通信パネルの部分背面斜視図である。
【図２】フレームとジャック取付板のスナップ装着式インタロック構造の部分拡大図である。
【図３】図１のジャック取付板の正面斜視図で、図示されたジャック取付板は垂直配置で結合している。
【図４】図３のジャック取付板の背面斜視図である。
【図５】本発明に係るフレームに１対のジャック取付板を取り付けた代替のフレームを有している代替の電気通信パネルの部分背面斜視図である。
【図６】図５のジャック取付板の正面斜視図で、図示されたジャック取付板は水平配置で結合している。
【図７】本発明に係る、上に同軸切換ジャックを取り付けたジャック取付板の頂部背面斜視図である。
【図８】図７のジャック取付板と同軸切換ジャックの底部背面斜視図である。
【図９】本発明に係る同軸切換ジャックの背面斜視図である。
【図１０】図９の同軸切換ジャックの正面斜視図である。
【図１１】図９の同軸切換ジャックの右側面図である。
【図１２】図９の同軸切換ジャックの背面図である。
【図１３】図９の同軸切換ジャックの正面図である。
【図１４】図９の同軸切換ジャックの底面図である。
【図１５】図９の同軸切換ジャックの分解斜視図である。
【図１６】カバーを外した状態で示した図９の同軸切換ジャックの右側面図である。
【図１７】図１６の線１７−１７に沿った横断面図である。
【図１８】図１６の線１７−１７に沿った横断面図である。
【図１９】図１４の線１９−１９に沿った横断面図である。
【図２０】図１５のジャックの同軸アセンブリの斜視図である。
【図２１】図２０の同軸アセンブリの分解斜視図である。
【図２２】図１５のジャックと共に使用される抵抗体アセンブリの斜視図である。
【図２３】図２２の抵抗体アセンブリの分解斜視図である。
【図２４】同軸ケーブルコネクタを結合させた状態で示した図９の同軸切換ジャックの底面図である。
【図２５】図２４の線２５−２５に沿った横断面図である。
【図２６】図２４の線２５−２５に類似の線に沿った横断面図で、同軸切換ジャックに結合した２つの同軸ケーブルコネクタを示す。
【図２７】図９の同軸切換ジャックの右側面図で、同軸切換ジャックの抵抗体を終端位置において示す。
【図２８】図９の同軸切換ジャックの右側面図で、同軸切換ジャックの抵抗体を非終端位置において示す。
【図２９】本発明に係る代替の同軸ジャックの正面斜視図である。
【図３０】図２９の同軸ジャックの正面図である。
【図３１】図２９の同軸ジャックの背面図である。
【図３２】カバーを外した状態で示した図２９の同軸ジャックの右側面図である。
【図１】
2009534795.tif 000003
【図２】
2009534795.tif 000004
【図３】
2009534795.tif 000005
【図４】
2009534795.tif 000006
【図５】
2009534795.tif 000007
【図６】
2009534795.tif 000008
【図７】
2009534795.tif 000009
【図８】
2009534795.tif 000010
【図９】
2009534795.tif 000011
【図１０】
2009534795.tif 000012
【図１１】
2009534795.tif 000013
【図１２】
2009534795.tif 000014
【図１３】
2009534795.tif 000015
【図１４】
2009534795.tif 000016
【図１５】
2009534795.tif 000017
【図１６】
2009534795.tif 000018
【図１７】
2009534795.tif 000019
【図１８】
2009534795.tif 000020
【図１９】
2009534795.tif 000021
【図２０】
2009534795.tif 000022
【図２１】
2009534795.tif 000023
【図２２】
2009534795.tif 000024
【図２３】
2009534795.tif 000025
【図２４】
2009534795.tif 000026
【図２５】
2009534795.tif 000027
【図２６】
2009534795.tif 000028
【図２７】
2009534795.tif 000029
【図２８】
2009534795.tif 000030
【図２９】
2009534795.tif 000031
【図３０】
2009534795.tif 000032
【図３１】
2009534795.tif 000033
【図３２】
2009534795.tif 000034
【国際調査報告】
2009534795.tif 000035
2009534795.tif 000036